【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
複数の場所または地点にそれぞれ位置する撮像手段を備える、又は前記撮像手段からの実況映像を取得、入力、または受信する実況映像取得等手段であって、或る場所または地点の実況映像を、「前記場所または地点に関する位置座標データ、前記場所もしくは地点を特定するための識別データ、または前記場所もしくは地点の実況映像を特定するための識別データ」と対応付けて、取得、入力、または受信する実況映像取得等手段と、
ユーザーの現在位置に関する位置座標データを取得、入力、または受信する現在位置取得等手段と、
ユーザーの目的地に関する位置座標データを取得、入力、または受信する目的地取得等手段と、
前記現在位置に関する位置座標データと前記目的地に関する位置座標データとに基づいて、「ユーザーの現在位置から目的地へ向かう経路に関する情報」を取得または受信する経路取得等手段と、
「『前記経路上または前記経路に沿って存在する一つ又は複数の場所もしくは地点であって、前記ユーザーの現在位置から遠隔に在る場所もしくは地点を含む場所もしくは地点』の実況映像、前記『場所もしくは地点』を特定するための識別データ、または『場所もしくは地点』の実況映像を特定するための識別データ」を、ユーザー側の端末に表示可能な実況映像又はそれを特定するための情報として、抽出、選択または特定する抽出等手段と、
を備えたことを特徴とすることを特徴とする実況映像提供システム。
【請求項２】
複数の場所または地点にそれぞれ位置する撮像手段を備える、又は前記撮像手段からの情報を取得、入力、もしくは受信する実況映像取得等手段であって、或る場所または地点の実況映像を、前記場所もしくは地点に関する位置座標データ、又は、「前記場所もしくは地点、又は前記場所もしくは地点の実況映像」を特定するための映像対象識別データと対応付けて、取得、入力、もしくは受信する実況映像取得等手段と、
ユーザーの現在位置に関する位置座標データを取得、入力、または受信する現在位置取得等手段と、
ユーザーの目的地に関する位置座標データを取得、入力、または受信する目的地取得等手段と、
前記現在位置に関する位置座標データと前記目的地に関する位置座標データとに基づいて、「ユーザーの現在位置から目的地へ向かう経路に関する情報（前記経路上に若しくは前記経路に沿って存在する１つ又は複数の場所もしくは地点に関する位置座標データを含む）」を取得もしくは受信する経路取得等手段と、
「前記の取得もしくは受信された『経路情報』の中に含まれている、前記経路上に若しくは前記経路に沿って存在する１つ又は複数の場所もしくは地点に関する位置座標データ」と、「前記各実況映像取得等手段により取得される実況映像の対象となる各場所もしくは地点、または前記各実況映像取得等手段がそれぞれ位置する各場所もしくは地点に関する位置座標データ」とに基づいて、「『前記経路上に若しくは前記経路に沿って存在する一つ又は複数の場所もしくは地点であって、前記ユーザーの現在位置から遠隔に在る場所もしくは地点を含む場所もしくは地点』に関する位置座標データ、又は、前記場所もしくは地点または前記場所もしくは地点の実況映像を特定するための映像対象識別データ」を抽出、選択または特定する抽出等手段と、
「前記抽出等された『位置座標データ又は映像対象識別データ』に対応する、一つ又は複数の場所もしくは地点の実況映像」を、ユーザー側の端末に送信または出力する実況映像送信等手段と、
を備えたことを特徴とすることを特徴とする実況映像提供システム。
【請求項３】
複数の場所または地点にそれぞれ位置する撮像手段を備える、又は前記撮像手段からの情報を取得、入力、または受信する実況映像取得等手段と、
ユーザーの現在位置に関する位置座標データを取得、入力、または受信する現在位置取得等手段と、
ユーザーの目的地に関する位置座標データを取得、入力、または受信する目的地取得等手段と、
前記現在位置に関する位置座標データと前記目的地に関する位置座標データとに基づいて、「ユーザーの現在位置から目的地へ向かう経路に関する情報（前記経路上に若しくは前記経路に沿って存在する１つ又は複数の場所もしくは地点に関する位置座標データを含む）」を取得または受信する経路取得等手段と、
「前記の取得または受信された『経路情報』の中に含まれている、前記経路上に若しくは前記経路に沿って存在する１つ又は複数の場所もしくは地点に関する位置座標データ」と、「前記各実況映像取得等手段により取得される実況映像の対象となる各場所もしくは地点、または前記各実況映像取得等手段がそれぞれ位置する各場所もしくは地点に関する位置座標データ」と、ユーザーから入力または送信された、文字列、図形または画像などから成る施設検索キー（劇場、野球場、寺院その他の名所旧跡、レストランその他の店舗などの施設を検索するためのキーとなり得る情報であって、施設のジャンル、スポーツや観劇や買物や食事などの行動のジャンル、又は地名などを示す情報）とに基づいて、「前記経路上に若しくは前記経路に沿って存在し且つ前記施設検索キーに適合する、一つ又は複数の施設の外観もしくはその内部の実況映像」を特定、選択または抽出する実況映像特定等手段と、
前記特定等された実況映像を、ユーザー側の端末に送信または出力する実況映像送信等手段と、
を備えたことを特徴とすることを特徴とする実況映像提供システム。
【請求項４】
複数の場所もしくは地点の実況映像をそれぞれ取得、入力、または送信するために各場所または地点にそれぞれ位置する実況映像取得等手段と、
ユーザーの現在位置に関する位置座標データを取得、受信または入力する現在位置取得等手段と、
ユーザーが希望する目的地に関する位置座標データを取得、受信または入力する目的地取得等手段と、
前記取得等されたユーザーの現在位置に関する位置座標データと前記取得等された目的地に関する位置座標データとに基づいて、ユーザーの現在位置からユーザーが希望する目的地までの経路の情報（経路上に又は経路に沿って存在する場所もしくは地点に関する位置座標データを含む）を取得または受信する経路取得等手段と、
前記取得等された経路上に又は経路に沿って存在する場所もしくは地点に関する位置座標データと、前記実況映像取得等手段が位置する場所もしくは地点又は前記実況映像取得等手段が取得する実況映像の対象となる場所もしくは地点に関する位置座標データとに基づいて、前記実況映像取得等手段により取得等された実況映像の中、前記経路上に又は経路に沿って存在する一つ又は複数の場所もしくは地点の実況映像を、ユーザー側に送信または出力する実況映像送信等手段と、
を備えたことを特徴とする実況映像提供システム。
【請求項５】
複数の各場所または地点の実況映像を、各場所または地点に関する位置座標データとそれぞれ関連付けて、取得、受信または入力する実況映像取得等手段と、
ユーザーの現在位置に関する位置座標データを取得、受信または入力する現在位置取得等手段と、
ユーザーが希望する目的地に関する位置座標データを取得、受信または入力する目的地取得等手段と、
前記取得等された現在位置に関する位置座標データと前記取得等された目的地に関する位置座標データとに基づいて、ユーザーの現在位置からユーザーが希望する目的地までの経路の情報（経路上に又は経路に沿って存在する場所もしくは地点に関する位置座標データを含む）を取得または受信する経路取得等手段と、
前記取得等された経路上に又は経路に沿って存在する場所もしくは地点に関する位置座標データと、前記実況映像取得等手段が位置する場所もしくは地点又は前記実況映像取得等手段が取得する実況映像の対象となる場所もしくは地点に関する位置座標データとに基づいて、前記実況映像取得等手段により取得等される複数の場所もしくは地点の実況映像の中から、前記経路上に又は経路に沿って存在する一つ又は複数の場所もしくは地点の実況映像を、特定、選択または抽出する実況映像特定等手段と、
前記特定等された一つ又は複数の場所もしくは地点の実況映像を、ユーザー側の端末に送信または出力する実況映像送信等手段と、
を備えたことを特徴とする実況映像提供システム。
【請求項６】
複数の各場所または地点の実況映像を、各場所または地点の位置座標データとそれぞれ関連付けて、取得、受信または入力する実況映像取得等手段と、
ユーザーの現在位置に関する位置座標データを取得、受信または入力する現在位置取得等手段と、
ユーザーが希望する目的地に関する位置座標データを取得、受信または入力する目的地取得等手段と、
前記取得等された現在位置に関する位置座標データと前記取得等された目的地に関する位置座標データとに基づいて、ユーザーの現在位置からユーザーが希望する目的地までの経路の情報（経路上に又は経路に沿って存在する場所もしくは地点に関する位置座標データを含む）を取得または受信する経路取得等手段と、
ユーザーが希望する情報に関する文字列、図形または画像などから成るキー・データを取得、受信または入力するキー・データ取得等手段と、
前記取得等された経路上に又は経路に沿って存在する場所もしくは地点に関する位置座標データと、前記実況映像取得等手段が位置する場所もしくは地点又は前記実況映像取得等手段が取得する実況映像の対象となる場所もしくは地点に関する位置座標データと、前記キー・データ取得等手段により取得等されたキー・データとに基づいて、前記実況映像取得等手段により取得等される複数の場所または地点の実況映像の中から、前記経路上に又は経路に沿って存在し且つ前記キー・データに適合する一つ又は複数の場所もしくは地点の実況映像を、特定、選択または抽出する実況映像特定等手段と、
前記特定等された一つ又は複数の場所もしくは地点の実況映像を、ユーザー側の端末に送信または出力する実況映像送信等手段と、
を備えたことを特徴とする実況映像提供システム。
【請求項７】
複数の場所または地点にそれぞれ位置する撮像手段を備える、又は前記撮像手段からの実況映像を取得、入力、または受信する実況映像取得等手段であって、或る場所または地点の実況映像を、「前記場所または地点に関する位置座標データ、前記場所もしくは地点を特定するための識別データ、または前記場所もしくは地点の実況映像を特定するための識別データ」と対応付けて、取得、入力、または受信する実況映像取得等手段と、
ユーザーの現在位置に関する位置座標データを取得、入力、または受信する現在位置取得等手段と、
ユーザーの目的地に関する位置座標データを取得、入力、または受信する目的地取得等手段と、
前記現在位置に関する位置座標データと前記目的地に関する位置座標データとに基づいて、「ユーザーの現在位置から目的地へ向かう経路に関する情報（前記経路上または前記経路に沿って存在する１つ又は複数の場所または地点に関する位置座標データを含む）」を取得または受信する経路取得等手段と、
「前記の取得もしくは受信された『経路情報』の中に含まれている、前記経路上または前記経路に沿って存在する１つ又は複数の場所または地点に関する位置座標データ」と、「前記各実況映像取得等手段により取得等される実況映像の対象となる各場所もしくは地点、または前記各実況映像取得等手段がそれぞれ位置する各場所もしくは地点に関する位置座標データ」とを、互いに比較または照合する座標データ比較等手段と、
前記比較または照合の結果に基づいて、「『前記経路上または前記経路に沿って存在する一つ又は複数の場所もしくは地点であって、前記ユーザーの現在位置から遠隔に在る場所もしくは地点を含む場所もしくは地点』の実況映像、前記場所もしくは地点に関する位置座標データ、前記場所もしくは地点を特定するための識別データ、または前記場所もしくは地点の実況映像を特定するための識別データ」を、ユーザーのために略リアルタイムに表示可能な実況映像又はそれを特定するための識別データとして、抽出、選択または特定する抽出等手段と、
を備えたことを特徴とすることを特徴とする略リアルタイム実況映像提供システム。
【請求項８】
複数の場所または地点にそれぞれ位置する撮像手段を備える、又は前記撮像手段からの実況映像を取得、入力、または受信する実況映像取得等手段であって、或る場所または地点の実況映像を、前記場所または地点に関する位置座標データ又は前記場所または地点を特定するための識別データと対応付けて、取得、入力、または受信する実況映像取得等手段と、
ユーザーの現在位置に関する位置座標データを取得、入力、または受信する現在位置取得等手段と、
ユーザーの目的地に関する位置座標データを取得、入力、または受信する目的地取得等手段と、
前記現在位置に関する位置座標データと前記目的地に関する位置座標データとに基づいて、「ユーザーの現在位置から目的地へ向かう経路に関する情報（前記経路上または前記経路に沿って存在する１つ又は複数の場所または地点に関する位置座標データを含む）」を取得もしくは受信する経路取得等手段と、
「前記の取得または受信された『経路情報』の中に含まれている、前記経路上または前記経路に沿って存在する１つ又は複数の場所または地点に関する位置座標データ」と、「前記各実況映像取得等手段により取得等される実況映像の対象となる各場所もしくは地点、または前記各実況映像取得等手段がそれぞれ位置する各場所もしくは地点に関する位置座標データ」とを、互いに比較または照合する座標データ比較等手段と、
前記座標データ比較等手段による比較または照合の結果と、ユーザーから入力または送信された、文字列・図形・画像などから成る施設検索キー（劇場、野球場、寺院その他の名所旧跡、レストランその他の店舗などの施設を検索するためのキーとなり得る情報であって、施設のジャンル、スポーツや観劇や買物や食事などの行動のジャンル、又は地名などを示す情報）とに基づいて、「前記経路上または前記経路に沿って存在し且つ前記施設検索キーに適合する、一つ又は複数の施設の外観またはその内部の実況映像、前記施設を特定するための識別データ、または前記実況映像を特定するための識別データ」を、ユーザーのために略リアルタイムに表示可能な実況映像として又はそれを特定するための識別データとして、抽出、選択または特定する、抽出等手段と、
を備えたことを特徴とすることを特徴とする略リアルタイム実況映像提供システム。
【請求項９】
複数の場所または地点の実況映像をそれぞれ入力、取得、または送信するために各場所または地点にそれぞれ位置する映像入力等手段と、
ユーザーの現在位置に関する位置座標データを取得、受信または入力する現在位置取得等手段と、
ユーザーが希望する目的地に関する位置座標データを取得、受信または入力する目的地取得等手段と、
前記取得等されたユーザーの現在位置に関する位置座標データと前記取得等された目的地に関する位置座標データとに基づいて、ユーザーの現在位置からユーザーが希望する目的地までの経路の情報（経路上に又は経路に沿って存在する場所または地点に関する位置座標データを含む）を取得または受信する経路取得手段と、
前記取得等された経路上に又は経路に沿って存在する場所または地点に関する位置座標データと、前記映像入力等手段が位置する場所または地点に関する位置座標データとを比較または照合する座標データ比較等手段と、
前記座標データ比較等手段による比較等結果に基づいて、「前記映像入力等手段により入力等された実況映像、前記実況映像を特定するための識別データ、又は前記実況映像の対象となっている場所もしくは地点を特定するための識別データ」の中から、「前記経路上に又は経路に沿って存在する一つ又は複数の場所もしくは地点の実況映像、前記場所もしくは地点を特定するための識別データ、又は前記実況映像を特定するための識別データ」を、ユーザーのために略リアルタイムに表示可能な実況映像として又はそれを特定するための識別データとして、抽出、選択または特定する、抽出等手段と、
を備えたことを特徴とする略リアルタイム実況映像提供システム。
【請求項１０】
複数の各場所または地点の実況映像を、各場所または地点に関する位置座標データとそれぞれ関連付けて、取得、入力、または受信する映像取得等手段と、
ユーザーの現在位置に関する位置座標データを取得、入力、または受信する現在位置取得等手段と、
ユーザーが希望する目的地に関する位置座標データを取得、入力、または受信する目的地取得等手段と、
前記取得等された現在位置に関する位置座標データと前記取得等された目的地に関する位置座標データとに基づいて、ユーザーの現在位置からユーザーが希望する目的地までの経路の情報（経路上に又は経路に沿って存在する場所または地点に関する位置座標データを含む）を取得または受信する経路取得手段と、
前記取得または受信された経路上に又は経路に沿って存在する場所または地点に関する位置座標データと、前記映像取得等手段が位置する場所または地点に関する位置座標データとを比較または照合する座標データ比較等手段と、
前記座標データ比較等手段による比較等結果に基づいて、「前記各映像取得等手段により取得等される複数の場所または地点の実況映像、前記場所もしくは地点を特定するための識別データ、又は前記実況映像を特定するための識別データ」の中から、「前記経路上に又は経路に沿って存在する一つ又は複数の場所もしくは地点の実況映像、前記場所もしくは地点を特定するための識別データ、又は前記実況映像を特定するための識別データ」を、ユーザーのために略リアルタイムに表示可能な実況映像として又はそれを特定するための識別データとして、抽出、選択または特定する、抽出等手段と、
を備えたことを特徴とする略リアルタイム実況映像提供システム。
【請求項１１】
複数の各場所または地点の実況映像を、各場所または地点の位置座標データとそれぞれ関連付けて、取得、入力、または受信する映像取得等手段と、
ユーザーの現在位置に関する位置座標データを取得、入力、または受信する現在位置取得等手段と、
ユーザーが希望する目的地に関する位置座標データを取得、入力、または受信する目的地取得等手段と、
前記取得等された現在位置に関する位置座標データと前記取得等された目的地に関する位置座標データとに基づいて、ユーザーの現在位置からユーザーが希望する目的地までの経路の情報（経路上に又は経路に沿って存在する場所または地点に関する位置座標データを含む）を取得または受信する経路取得手段と、
前記取得等された経路上に又は経路に沿って存在する場所または地点に関する位置座標データと、前記映像取得等手段が位置する又は前記映像取得等手段が実況映像を取得等する対象となる場所または地点に関する位置座標データとを比較または照合する座標データ比較等手段と、
ユーザーが希望する情報に関する文字列・図形・画像などから成るキー・データを取得、入力、または受信するキー・データ取得等手段と、
前記座標データ比較等手段による比較等結果と、前記キー・データ取得等手段により取得等されたキー・データとに基づいて、「前記各映像取得等手段により取得等される複数の場所または地点の実況映像、前記場所もしくは地点を特定するための識別データ、又は前記実況映像を特定するための識別データ」の中から、「前記経路上または経路に沿って存在し且つ前記キー・データに適合する一つ又は複数の場所もしくは地点又はその実況映像、前記場所もしくは地点を特定するための識別データ、又は前記実況映像を特定するための識別データ」を、ユーザーのために略リアルタイムに表示可能な実況映像として又はそれを特定するための識別データとして、抽出、選択または特定する、抽出等手段と、
を備えたことを特徴とする略リアルタイム実況映像提供システム。
【請求項１２】
複数の実況地点の実況映像をそれぞれ入力または取得するために各実況地点にそれぞれ位置する映像入力等手段と、
ユーザーの現在位置を取得または入力するための現在位置取得等手段と、
ユーザーが希望する目的地の情報を入力または取得する目的地入力等手段と、
前記現在位置取得等手段からの現在位置情報と前記目的地入力等手段からの目的地情報とに基づいて、ユーザーの現在位置からユーザーが希望する目的地までの移動経路を求めるための経路取得手段と、
前記経路取得手段からの移動経路情報と前記実況位置情報記録手段に記録された位置情報とに基づいて、前記映像入力等手段により入力当等された実況映像の中、前記移動経路の途中に存在する一つ又は複数の実況地点の実況映像を、前記映像送信手段からオンラインで取り込むための映像取り込み手段と、
前記映像取り込み手段により取り込まれた実況映像を略リアルタイムに表示するための映像表示手段と、
を備えたことを特徴とする実況映像提供システム。
【請求項１３】
複数の場所の実況映像を、各場所の位置座標データとそれぞれ関連付けて取得または入力する映像取得等手段と、
移動体であるユーザーの現在位置座標データを取得または入力するための現在位置取得等手段と、
ユーザーが希望する目的地の情報を入力または取得する目的地入力等手段と、
移動体であるユーザーの現在位置とユーザーの目的地とに基づいて、前記現在位置から前記目的地への経路を求めるための経路取得手段と、
前記現在位置取得等手段からの座標データと目的地への経路上の複数地点の座標データとを比較する座標データ比較手段と、
前記座標データ比較手段による比較結果に基づいて、前記各映像取得等手段により取得等される複数の場所の映像の中から、前記経路の途中に存在する一つ又は複数の場所の映像を、ユーザー側で略リアルタイムに表示する映像として、略リアルタイムに特定するための映像特定手段と、
前記映像特定手段により特定された一つ又は複数の場所の映像を、ユーザー側に略リアルタイムに表示させるために、オンラインで略リアルタイムにユーザー側に送信するための映像送信手段と、
を備えたことを特徴とする略リアルタイム映像提供装置。
【請求項１４】
複数の場所の実況映像を、各場所の位置座標データとそれぞれ関連付けて取得または入力する映像取得等手段と、
移動体であるユーザーの現在位置座標データを取得または入力するための現在位置取得等手段と、
ユーザーが希望する目的地の情報を入力または取得する目的地入力等手段と、
移動体であるユーザーの現在位置とユーザーの目的地とに基づいて、前記現在位置から前記目的地への経路を求めるための経路取得手段と、
前記現在位置取得等手段からの座標データと目的地への経路上の複数地点の座標データとを比較する座標データ比較手段と、
前記各実況映像又はその場所を互いに識別するための実況映像識別データを、所定の文字列・図形・画像などから成るキー・データと関連付けて記録するための実況映像識別データベース手段と、
ユーザーが希望する情報に関する文字列・図形・画像などから成るキー・データを取得するためのキー・データ取得手段と、
前記座標データ比較手段による比較結果、及び前記キー・データ取得手段により取得されたキー・データに基づいて、前記各映像取得等手段により取得等される複数の場所の映像の中から、前記経路の途中に存在し且つ前記キー・データに適合する一つ又は複数の場所の映像を、ユーザー側で略リアルタイムに表示する映像として、略リアルタイムに特定するための映像特定手段と、
前記映像特定手段により特定された一つ又は複数の場所の映像を、ユーザー側に略リアルタイムに表示させるために、オンラインで略リアルタイムにユーザー側に向けて送信するための映像送信手段と、
を備えたことを特徴とする略リアルタイム映像提供装置。
【請求項１５】
遠隔地にある飲食店の店内の雰囲気や客の混雑状況などをユーザーが略リアルタイムに知ることができる飲食店内実況映像等提供システムであって、
複数の飲食店内の実況映像をそれぞれ略リアルタイムに取得または入力するために各飲食店内にそれぞれ位置する実況映像取得等手段と、
前記各実況映像の場所を示す実況場所位置情報（この実況場所位置情報は実況映像識別データを兼ねるものであってもよい）を記録しておくための実況場所位置情報記録手段と、
前記各実況映像又はその場所を互いに識別するための「実況映像識別データ（この実況映像識別データは、前記各実況映像の場所を示す実況場所位置情報であってもよい）」を、所定の文字列・図形・画像などから成るキー・データと関連付けて記録するための実況映像識別データベース手段と、
ユーザーの現在位置情報を取得または入力するための現在位置取得等手段と、
ユーザーが希望する目的地の情報を入力または取得する目的地入力等手段と、
前記現在位置取得等手段からの現在位置情報と前記目的地入力等手段からの目的地情報とに基づいて、ユーザーの現在位置からユーザーが希望する目的地までの移動経路を求めるための移動経路取得手段と、
前記移動経路取得手段からの移動経路情報及び前記実況場所位置情報に基づいて、前記映像取得等手段により取得等された実況映像の中、前記移動経路の途中に存在し且つ前記キー・データと適合する一つ又は複数の飲食店内の実況映像を、ユーザー側に送信する映像送信手段と、
を備えたことを特徴とする飲食店内実況映像等提供システム。
【請求項１６】
遠隔地にある飲食店の店内の雰囲気や客の混雑状況などをユーザーが略リアルタイムに知ることができる飲食店内実況映像等提供システムであって、
各飲食店内の実況映像をそれぞれ略リアルタイムに取得または入力するために各飲食店内にそれぞれ位置する実況映像取得等手段と、
前記各実況映像の場所を示す実況場所位置情報（この実況場所位置情報は実況映像識別データを兼ねるものであってもよい）を記録しておくための実況場所位置情報記録手段と、
前記各実況映像又はその場所を互いに識別するための「実況映像識別データ（この実況映像識別データは、前記各実況映像の場所を示す実況場所位置情報であってもよい）」を、所定の文字列・図形・画像などから成るキー・データと関連付けて記録するための実況映像識別データ記録手段と、
ユーザーが希望する情報に関する文字列・図形・画像などから成るキー・データを取得するためのキー・データ取得手段と、
ユーザーが希望する目的地の情報を入力または取得する目的地入力等手段と、
前記現在位置取得等手段からの現在位置情報と前記目的地入力等手段からの目的地情報とに基づいて、ユーザーの現在位置からユーザーが希望する目的地までの移動経路を求めるための移動経路取得手段と、
前記移動経路情報と、前記ユーザーから入力または送信されたキー・データに基づいて、前記実況映像識別データ記録手段から前記取得したキー・データとに基づいて、前記経路上に存在しており且つ前記キー・データに適合する実況映像識別データを特定する実況映像識別データ特定手段と、
前記実況映像特定手段により特定された実況映像識別データに対応する実況映像をユーザー側に送信する映像送信手段と、
を備えたことを特徴とする飲食店内実況映像等提供システム。
【請求項１７】
複数の場所または地点にそれぞれ位置する撮像手段を備える、又は前記撮像手段からの実況映像を取得、入力、または受信する実況映像取得等手段であって、或る場所または地点の実況映像を、「前記場所または地点に関する位置座標データ、前記場所もしくは地点を特定するための識別データ、または前記場所もしくは地点の実況映像を特定するための識別データ」と対応付けて、取得、入力、または受信する実況映像取得等手段と、
ユーザーの現在位置に関する位置座標データを取得、入力、または受信する現在位置取得等手段と、
ユーザーの目的地に関する位置座標データを取得、入力、または受信する目的地取得等手段と、
前記現在位置に関する位置座標データと前記目的地に関する位置座標データとに基づいて、「ユーザーの現在位置から目的地へ向かう経路に関する情報（前記経路上または前記経路に沿って存在する１つ又は複数の場所または地点に関する位置座標データを含む）」を取得または受信する経路取得等手段と、
「『前記経路上または前記経路に沿って存在する一つ又は複数の場所もしくは地点であって、前記ユーザーの現在位置から遠隔に在る場所もしくは地点を含む場所もしくは地点』の実況映像、前記『場所もしくは地点』を特定するための識別データ、または『場所もしくは地点』の実況映像を特定するための識別データ」を、ユーザー側の端末に表示可能な実況映像又はそれを特定するための情報として、抽出、選択または特定する抽出等手段と、
を備えたことを特徴とすることを特徴とする実況映像提供システム。
【請求項１８】
複数の場所または地点にそれぞれ位置する撮像手段を備える、又は前記撮像手段からの情報を取得、入力、もしくは受信する実況映像取得等手段であって、或る場所または地点の実況映像を、前記場所もしくは地点に関する位置座標データ、又は、「前記場所もしくは地点、又は前記場所もしくは地点の実況映像」を特定するための映像対象識別データと対応付けて、取得、入力、もしくは受信する実況映像取得等手段と、
ユーザーの現在位置に関する位置座標データを取得、入力、または受信する現在位置取得等手段と、
ユーザーの目的地に関する位置座標データを取得、入力、または受信する目的地取得等手段と、
前記現在位置に関する位置座標データと前記目的地に関する位置座標データとに基づいて、「ユーザーの現在位置から目的地へ向かう経路に関する情報（前記経路上に若しくは前記経路に沿って存在する１つ又は複数の場所もしくは地点に関する位置座標データを含む）」を取得もしくは受信する経路取得等手段と、
「前記の取得もしくは受信された『経路情報』の中に含まれている、前記経路上に若しくは前記経路に沿って存在する１つ又は複数の場所もしくは地点に関する位置座標データ」と、「前記各実況映像取得等手段により取得される実況映像の対象となる各場所もしくは地点、または前記各実況映像取得等手段がそれぞれ位置する各場所もしくは地点に関する位置座標データ」とに基づいて、「『前記経路上に若しくは前記経路に沿って存在する一つ又は複数の場所もしくは地点であって、前記ユーザーの現在位置から遠隔に在る場所もしくは地点を含む場所もしくは地点』に関する位置座標データ、又は、前記場所もしくは地点または前記場所もしくは地点の実況映像を特定するための映像対象識別データ」を抽出、選択または特定する抽出等手段と、
「前記抽出等された『位置座標データ又は映像対象識別データ』に対応する、一つ又は複数の場所もしくは地点の実況映像」を、ユーザー側の端末に送信または出力する実況映像送信等手段と、
を備えたことを特徴とすることを特徴とする実況映像提供システム。
【請求項１９】
複数の場所または地点にそれぞれ位置する撮像手段を備える、又は前記撮像手段からの情報を取得、入力、または受信する実況映像取得等手段と、
ユーザーの現在位置に関する位置座標データを取得、入力、または受信する現在位置取得等手段と、
ユーザーの目的地に関する位置座標データを取得、入力、または受信する目的地取得等手段と、
前記現在位置に関する位置座標データと前記目的地に関する位置座標データとに基づいて、「ユーザーの現在位置から目的地へ向かう経路に関する情報（前記経路上に若しくは前記経路に沿って存在する１つ又は複数の場所もしくは地点に関する位置座標データを含む）」を取得または受信する経路取得等手段と、
「前記の取得または受信された『経路情報』の中に含まれている、前記経路上に若しくは前記経路に沿って存在する１つ又は複数の場所もしくは地点に関する位置座標データ」と、「前記各実況映像取得等手段により取得される実況映像の対象となる各場所もしくは地点、または前記各実況映像取得等手段がそれぞれ位置する各場所もしくは地点に関する位置座標データ」と、ユーザーから入力または送信された、文字列、図形または画像などから成る施設検索キー（劇場、野球場、寺院その他の名所旧跡、レストランその他の店舗などの施設を検索するためのキーとなり得る情報であって、施設のジャンル、スポーツや観劇や買物や食事などの行動のジャンル、又は地名などを示す情報）とに基づいて、「前記経路上に若しくは前記経路に沿って存在し且つ前記施設検索キーに適合する、一つ又は複数の施設の外観もしくはその内部の実況映像」を特定、選択または抽出する実況映像特定等手段と、
前記特定等された実況映像を、ユーザー側の端末に送信または出力する実況映像送信等手段と、
を備えたことを特徴とすることを特徴とする実況映像提供システム。
【請求項２０】
複数の場所もしくは地点の実況映像をそれぞれ取得、入力、または送信するために各場所または地点にそれぞれ位置する実況映像取得等手段と、
ユーザーの現在位置に関する位置座標データを取得、受信または入力する現在位置取得等手段と、
ユーザーが希望する目的地に関する位置座標データを取得、受信または入力する目的地取得等手段と、
前記取得等されたユーザーの現在位置に関する位置座標データと前記取得等された目的地に関する位置座標データとに基づいて、ユーザーの現在位置からユーザーが希望する目的地までの経路の情報（経路上に又は経路に沿って存在する場所もしくは地点に関する位置座標データを含む）を取得または受信する経路取得等手段と、
前記取得等された経路上に又は経路に沿って存在する場所もしくは地点に関する位置座標データと、前記実況映像取得等手段が位置する場所もしくは地点又は前記実況映像取得等手段が取得する実況映像の対象となる場所もしくは地点に関する位置座標データとに基づいて、前記実況映像取得等手段により取得等された実況映像の中、前記経路上に又は経路に沿って存在する一つ又は複数の場所もしくは地点の実況映像を、ユーザー側に送信または出力する実況映像送信等手段と、
を備えたことを特徴とする実況映像提供システム。
【請求項２１】
複数の各場所または地点の実況映像を、各場所または地点に関する位置座標データとそれぞれ関連付けて、取得、受信または入力する実況映像取得等手段と、
ユーザーの現在位置に関する位置座標データを取得、受信または入力する現在位置取得等手段と、
ユーザーが希望する目的地に関する位置座標データを取得、受信または入力する目的地取得等手段と、
前記取得等された現在位置に関する位置座標データと前記取得等された目的地に関する位置座標データとに基づいて、ユーザーの現在位置からユーザーが希望する目的地までの経路の情報（経路上に又は経路に沿って存在する場所もしくは地点に関する位置座標データを含む）を取得または受信する経路取得等手段と、
前記取得等された経路上に又は経路に沿って存在する場所もしくは地点に関する位置座標データと、前記実況映像取得等手段が位置する場所もしくは地点又は前記実況映像取得等手段が取得する実況映像の対象となる場所もしくは地点に関する位置座標データとに基づいて、前記実況映像取得等手段により取得等される複数の場所もしくは地点の実況映像の中から、前記経路上に又は経路に沿って存在する一つ又は複数の場所もしくは地点の実況映像を、特定、選択または抽出する実況映像特定等手段と、
前記特定等された一つ又は複数の場所もしくは地点の実況映像を、ユーザー側の端末に送信または出力する実況映像送信等手段と、
を備えたことを特徴とする実況映像提供システム。
【請求項２２】
複数の各場所または地点の実況映像を、各場所または地点の位置座標データとそれぞれ関連付けて、取得、受信または入力する実況映像取得等手段と、
ユーザーの現在位置に関する位置座標データを取得、受信または入力する現在位置取得等手段と、
ユーザーが希望する目的地に関する位置座標データを取得、受信または入力する目的地取得等手段と、
前記取得等された現在位置に関する位置座標データと前記取得等された目的地に関する位置座標データとに基づいて、ユーザーの現在位置からユーザーが希望する目的地までの経路の情報（経路上に又は経路に沿って存在する場所もしくは地点に関する位置座標データを含む）を取得または受信する経路取得等手段と、
ユーザーが希望する情報に関する文字列、図形または画像などから成るキー・データを取得、受信または入力するキー・データ取得等手段と、
前記取得等された経路上に又は経路に沿って存在する場所もしくは地点に関する位置座標データと、前記実況映像取得等手段が位置する場所もしくは地点又は前記実況映像取得等手段が取得する実況映像の対象となる場所もしくは地点に関する位置座標データと、前記キー・データ取得等手段により取得等されたキー・データとに基づいて、前記実況映像取得等手段により取得等される複数の場所または地点の実況映像の中から、前記経路上に又は経路に沿って存在し且つ前記キー・データに適合する一つ又は複数の場所もしくは地点の実況映像を、特定、選択または抽出する実況映像特定等手段と、
前記特定等された一つ又は複数の場所もしくは地点の実況映像を、ユーザー側の端末に送信または出力する実況映像送信等手段と、
を備えたことを特徴とする実況映像提供システム。